【手続補正書】
【提出日】平成30年12月24日(2018.12.24)
【手続補正１】
【補正対象書類名】特許請求の範囲
【補正対象項目名】全文
【補正方法】変更
【補正の内容】
【特許請求の範囲】
【請求項１】
描画領域（４１）に発光表示される表示像（１１）の投影部材（ＷＳ）への投影により、前記表示像の虚像（１０）を表示するヘッドアップディスプレイ装置であって、
前記描画領域を反射面（４９）によって形成するスクリーン（３０，６３０）と、
描画光（ＤＬ）の走査によって前記描画領域に前記表示像を描画し、前記描画光を制御するための制御光（ＣＬ）を前記スクリーンのうちで前記描画領域の領域外へ向けて照射するプロジェクタ（２０）と、を備え、
前記スクリーンのうちで前記制御光が到達する領域には、前記制御光を前記描画光とは異なる方向に反射させる制御光反射面（４２）が形成されているヘッドアップディスプレイ装置。
【請求項２】
前記制御光反射面にて反射された前記制御光が到達する位置に設けられている黒色の壁部（７１）、をさらに備える請求項１に記載のヘッドアップディスプレイ装置。
【請求項３】
前記描画領域にて反射された前記描画光を前記投影部材に投影する投影光学素子（６０）、をさらに備え、
前記制御光反射面は、前記投影光学素子から外れた領域へ向けて前記制御光を反射させる請求項１又は２に記載のヘッドアップディスプレイ装置。
【請求項４】
前記制御光反射面は、前記スクリーンにおいて前記描画領域に臨む位置に形成されている請求項１〜３のいずれか一項に記載のヘッドアップディスプレイ装置。
【請求項５】
前記制御光反射面に臨む前記描画領域の端部（４７）への前記描画光の到達を阻む遮蔽部（６５５）、をさらに備える請求項４に記載のヘッドアップディスプレイ装置。
【請求項６】
描画領域（４１）に発光表示された表示像（１１）の投影部材（ＷＳ）への投影により、前記表示像の虚像（１０）を表示するヘッドアップディスプレイ装置であって、
前記描画領域を反射面（４９）によって形成するスクリーン（２３０，９３０，１０３０）と、
描画光（ＤＬ）の走査によって前記描画領域に前記表示像を描画し、前記描画光を制御するための制御光（ＣＬ）を前記スクリーンのうちで前記描画領域の領域外へ向けて照射するプロジェクタ（２０）と、を備え、
前記スクリーンのうちで前記制御光が到達する領域には、前記制御光を前記スクリーンの背面側へ通過させる通過開口（２３１）が形成されているヘッドアップディスプレイ装置。
【請求項７】
前記通過開口を通過した前記制御光が到達する位置に設けられている黒色の壁部（７２ｂ，７２ｃ）、をさらに備える請求項６に記載のヘッドアップディスプレイ装置。
【請求項８】
前記スクリーンは、前記描画領域を形成するスクリーン本体（２４０）、及び前記スクリーン本体を保持する保持部材（２５０，９５０，１０５０）、を有し、
前記通過開口は、前記スクリーン本体と前記保持部材との間に形成されている請求項６又は７に記載のヘッドアップディスプレイ装置。
【請求項９】
前記保持部材には、前記描画領域へ向かう前記描画光を通過させる描画開口部（９５２）が形成され、
前記通過開口は、前記描画開口部と連続している請求項８に記載のヘッドアップディスプレイ装置。
【請求項１０】
前記保持部材は、前記描画領域へ向かう前記描画光を通過させる描画開口部（１０５２）、及び前記描画開口部を前記通過開口から区切る遮蔽部（１０５５）、を形成し、
前記遮蔽部は、前記通過開口に臨む前記描画領域の端部（４７）への前記描画光の到達を阻む請求項８に記載のヘッドアップディスプレイ装置。
【請求項１１】
前記通過開口は、前記スクリーンにおいて前記描画領域に臨む位置に形成されている請求項６〜１０のいずれか一項に記載のヘッドアップディスプレイ装置。
【請求項１２】
描画領域（４１）に発光表示される表示像（１１）の投影部材（ＷＳ）への投影により、前記表示像の虚像（１０）を表示するヘッドアップディスプレイ装置であって、
前記描画領域を透過部（１４８，１４９）によって形成するスクリーン（３３０）と、
描画光（ＤＬ）の走査によって前記描画領域に前記表示像を描画し、前記描画光を制御するための制御光（ＣＬ）を前記透過部のうちで前記描画領域の領域外へ向けて照射するプロジェクタ（２０）と、を備え、
前記透過部のうちで前記制御光が到達する領域には、前記描画領域を透過した前記描画光の光路（ＰＤＬ）から、前記制御光の光路（ＰＣＬ）を分離させる分離透過部分（３４２）が形成されており、
前記分離透過部分を透過した前記制御光が到達する位置に設けられている黒色の壁部（７２ｂ，７２ｃ）、をさらに備えるヘッドアップディスプレイ装置。
【請求項１３】
前記描画領域にて反射された前記描画光を投影部材に投影する投影光学素子（６０）、をさらに備え、
前記分離透過部分は、前記制御光の光路を前記投影光学素子から外れた領域へ向ける請求項１２に記載のヘッドアップディスプレイ装置。
【請求項１４】
前記分離透過部分は、前記スクリーンにおいて前記描画領域に臨む位置に形成されている請求項１２又は１３に記載のヘッドアップディスプレイ装置。
【請求項１５】
描画領域（４１）に発光表示される表示像（１１）の投影部材（ＷＳ）への投影により、前記表示像の虚像（１０）を表示するヘッドアップディスプレイ装置であって、
前記描画領域を透過部（１４８，１４９）によって形成するスクリーン（４３０，５３０）と、
描画光（ＤＬ）の走査によって前記描画領域に前記表示像を描画し、前記描画光を制御するための制御光（ＣＬ）を前記スクリーンのうちで前記描画領域の領域外へ向けて照射するプロジェクタ（２０）と、
前記スクリーンのうちで前記制御光が到達する領域を覆い、前記制御光の前記スクリーンの透過を遮る不透過部（５３１）と、を備え、
前記スクリーンは、前記描画領域を形成するスクリーン本体（５４０）、及び前記スクリーン本体を保持する保持部材（５５０）、を有し、
前記不透過部は、前記保持部材によって形成されて、前記透過部の入射面（１４６）及び射出面（１４７）のうちで、前記入射面を覆っているヘッドアップディスプレイ装置。
【請求項１６】
前記不透過部は、黒色に形成されている請求項１５に記載のヘッドアップディスプレイ装置。
【手続補正２】
【補正対象書類名】明細書
【補正対象項目名】００１１
【補正方法】変更
【補正の内容】
【００１１】
また開示された一つの態様は、描画領域（４１）に発光表示される表示像（１１）の投影部材（ＷＳ）への投影により、表示像の虚像（１０）を表示するＨＵＤ装置であって、描画領域を透過部（１４８，１４９）によって形成するスクリーン（３３０）と、描画光（ＤＬ）の走査によって描画領域に表示像を描画し、描画光を制御するための制御光（ＣＬ）を透過部のうちで描画領域の領域外へ向けて照射するプロジェクタ（２０）と、を備え、透過部のうちで制御光が到達する領域には、描画領域を透過した描画光の光路（ＰＤＬ）から、制御光の光路（ＰＣＬ）を分離させる分離透過部分（３４２）が形成されており、分離透過部分を透過した制御光が到達する位置に設けられている黒色の壁部（７２ｂ，７２ｃ）、をさらに備えるＨＵＤ装置である。
【手続補正３】
【補正対象書類名】明細書
【補正対象項目名】００１３
【補正方法】変更
【補正の内容】
【００１３】
また開示された一つの態様は、描画領域（４１）に発光表示される表示像（１１）の投影部材（ＷＳ）への投影により、表示像の虚像（１０）を表示するＨＵＤ装置であって、描画領域を透過部（１４８，１４９）によって形成するスクリーン（４３０，５３０）と、描画光（ＤＬ）の走査によって描画領域に表示像を描画し、描画光を制御するための制御光（ＣＬ）をスクリーンのうちで描画領域の領域外へ向けて照射するプロジェクタ（２０）と、スクリーンのうちで制御光が到達する領域を覆い、制御光のスクリーンの透過を遮る不透過部（５３１）と、を備え、スクリーンは、描画領域を形成するスクリーン本体（５４０）、及びスクリーン本体を保持する保持部材（５５０）、を有し、不透過部は、保持部材によって形成されて、透過部の入射面（１４６）及び射出面（１４７）のうちで、入射面を覆っているＨＵＤ装置である。